(57)【要約】      （修正有）【課題】製造が容易であり且つ、断面形状が実質的に菱形であるプリーツスクリーンの提供。【解決手段】ヘッドボックス１から直接又は別の部材を介して吊り下げられ且つ上下方向にジグザグ状に折り畳み可能である第１及び第２スクリーン２ａ、２ｂと、スクリーンの下側に配置されたボトムレール３と、ヘッドボックスから垂下されて、操作されてボトムレールを昇降させる昇降コード５と、設定された間隔で複数の環状の保持部を有するピッチ保持コード６とを備え、昇降コード又は別途設けられたコードからなる一体化コードは、（１）保持部のうち第１スクリーンを貫通した第１保持部７ａ、及び第２スクリーンを貫通した第２保持部７ｂに挿通されるか、又は（２）第１スクリーンに設けられた第１コード止め、第２スクリーンに設けられた第２コード止め、及び保持部に挿通され、第１スクリーンと第２スクリーンが断面略菱形状に一体的に保持される。【選択図】図１
2014129698.tif 000002
【特許請求の範囲】
【請求項１】
ヘッドボックスから直接又は別の部材を介して吊り下げられ且つ上下方向にジグザグ状に折り畳み可能である第１及び第２スクリーンと、第１及び第２スクリーンの下側に配置されたボトムレールと、前記ヘッドボックスから垂下されて前記ボトムレールを支持し且つ前記ヘッドボックス側から操作されて前記ボトムレールを昇降させる昇降コードと、あらかじめ設定された間隔で複数の環状の保持部を有するピッチ保持コードとを備え、
前記昇降コード又は別途設けられたコードからなる一体化コードは、（１）前記保持部のうち第１スクリーンを貫通した第１保持部、及び第２スクリーンを貫通した第２保持部に挿通されるか、又は（２）第１スクリーンに設けられた第１コード止め、第２スクリーンに設けられた第２コード止め、及び前記保持部に挿通され、
これによって、第１スクリーンと第２スクリーンが断面略菱形状に一体的に保持される、プリーツスクリーン。
【請求項２】
前記保持部は、第１及び第２スクリーンに設けられたスリットを通じて第１及び第２スクリーンをそれぞれ貫通する、請求項１に記載のプリーツスクリーン。
【請求項３】
前記一体化コードは、第１及び第２スクリーンの間に配置され、
第１及び第２保持部が、それぞれ、第１及び第２スクリーンの外面側から第１及び第２スクリーンを貫通した後に、前記一体化コードが、第１及び第２保持部に挿通される、請求項１又は請求項２に記載のプリーツスクリーン。
【請求項４】
前記ピッチ保持コードは、あらかじめ設定された間隔で複数の環状の第１保持部を有し且つ第１スクリーンの外面側に配置された第１ピッチ保持コードと、あらかじめ設定された間隔で複数の環状の第２保持部を有し且つ第２スクリーンの外面側に配置された第２ピッチ保持コードとを備える、請求項３に記載のプリーツスクリーン。
【請求項５】
第１及び第２保持部は、上下方向に互いにずれた位置で、それぞれ第１及び第２スクリーンを貫通する、請求項３又は請求項４に記載のプリーツスクリーン。
【請求項６】
第１及び第２保持部は、それぞれ、第１及び第２スクリーンの外面側に凸になる折り目において、第１及び第２スクリーンを貫通する、請求項３〜請求項５の何れか１つに記載のプリーツスクリーン。
【請求項７】
第１及び第２保持部は、それぞれ、第１及び第２スクリーンの内面側に凸になる折り目において、第１及び第２スクリーンを貫通する、請求項３〜請求項５の何れか１つに記載のプリーツスクリーン。
【請求項８】
前記ピッチ保持コードは、第１及び第２スクリーンの間に配置され、
前記一体化コードは、第１スクリーンの外面側で第１保持部に挿通され、第２スクリーンの外面側で第２保持部に挿通される、請求項１に記載のプリーツスクリーン。
【請求項９】
前記一体化コードは、第１スクリーンの外面側において前記ヘッドボックスに取着され、第１及び第２スクリーンの下側を通って、第２スクリーンの外面側において、前記ヘッドボックス内に導入されて操作される、請求項８に記載のプリーツスクリーン。
【請求項１０】
前記一体化コード及びピッチ保持コードは、第１及び第２スクリーンの間に配置され、
前記プリーツスクリーンは、第１スクリーンに設けられた第１コード止めと、第２スクリーンに設けられた第２コード止めを備え、
前記一体化コードが、第１及び第２コード止め及び前記保持部に挿通される、請求項１に記載のプリーツスクリーン。
【請求項１１】
前記一体化コードは、前記昇降コードである請求項１〜請求項１０の何れか１つに記載のプリーツスクリーン。
【請求項１２】
前記一体化コードは、ダミーコードである請求項１〜請求項１０の何れか１つに記載のプリーツスクリーン。
【請求項１３】
第１及び第２ピッチ保持コードからの第１及び第２保持部に第１及び第２スクリーンをそれぞれ貫通させたものを並べて配置し、第１及び第２保持部のそれぞれに一体化コードを順次挿通させる工程を備える、プリーツスクリーンの製造方法。
【請求項１４】
前記一体化コードは、ダミーコード又は昇降コードであり、
前記一体化コードがダミーコードである場合、前記ダミーコードを昇降コードに置換する工程をさらに備える、請求項１３に記載のプリーツスクリーンの製造方法。
【請求項１５】
第１及び第２保持部は、第１及び第２スクリーンに設けられたスリットを通じて第１及び第２スクリーンをそれぞれ貫通する、請求項１３又は請求項１４に記載のプリーツスクリーンの製造方法。
【発明の詳細な説明】
【技術分野】
【０００１】
この発明は、ジグザグ状に折り畳み可能としたスクリーンをヘッドボックスから昇降可能に吊下支持したプリーツスクリーンに関するものである。
【背景技術】
【０００２】
プリーツスクリーンは、上下方向にジグザグ状に折り畳み可能としたスクリーンをヘッドボックスから吊下支持し、そのスクリーンを操作装置により昇降して採光量を適宜に調節するものである。
【０００３】
プリーツスクリーンの中には、断熱性能を向上させる等の目的で、２枚のスクリーンの向かい合う折り目同士を溶着して一体化し、スクリーンの断面形状を菱形にしているものがある（特許文献１）。また、２枚のスクリーンを連結する別の方法としては、特許文献２では、２枚のスクリーンの間に連接部材を配置し、連接部材の一部を一方のスクリーンに接着し、連接部材の別の一部を他方のスクリーンに接着する方法が開示されている。
【先行技術文献】
【特許文献】
【０００４】
【特許文献１】実開昭６４−２９８７号公報
【特許文献２】特開平９−２１２８１号公報
【発明の概要】
【発明が解決しようとする課題】
【０００５】
特許文献１〜２の方法では、予め溶着や接着などの手段によって２枚のスクリーンの向かい合う折り目同士を連結する工程が必須であるが、この工程は煩雑であり、製造コストの増大に繋がる。
【０００６】
本発明はこのような事情に鑑みてなされたものであり、製造が容易であり且つスクリーンの断面形状が実質的に菱形であるプリーツスクリーンを提供するものである。
【課題を解決するための手段】
【０００７】
本発明によれば、ヘッドボックスから直接又は別の部材を介して吊り下げられ且つ上下方向にジグザグ状に折り畳み可能である第１及び第２スクリーンと、第１及び第２スクリーンの下側に配置されたボトムレールと、前記ヘッドボックスから垂下されて前記ボトムレールを支持し且つ前記ヘッドボックス側から操作されて前記ボトムレールを昇降させる昇降コードと、あらかじめ設定された間隔で複数の環状の保持部を有するピッチ保持コードとを備え、
前記昇降コード又は別途設けられたコードからなる一体化コードは、（１）前記保持部のうち第１スクリーンを貫通した第１保持部、及び第２スクリーンを貫通した第２保持部に挿通されるか、又は（２）第１スクリーンに設けられた第１コード止め、第２スクリーンに設けられた第２コード止め、及び前記保持部に挿通され、
これによって、第１スクリーンと第２スクリーンが断面略菱形状に一体的に保持される、プリーツスクリーンが提供される。
【０００８】
本発明者らは特許文献１〜２のような２枚のプリーツスクリーンの連結工程を行うことなく、断面菱形形状のプリーツスクリーンを得るべく鋭意検討を行い、連結工程を行わずに、単純に２枚のスクリーンを前後に並べて配置してみた。しかし、折り目の状態はスクリーン毎に微妙に異なっており、同様の工程で製造された２枚のスクリーンを用いた場合でも、前後のスクリーンの折り目の高さ位置が完全には一致せず、２枚のスクリーンによって構成される形状が断面菱形にならないという新たな問題が発生した。さらに、２枚のスクリーンが前後に広がってしまう（つまり、２枚のスクリーンの間に隙間が空いてしまう）という問題も生じた。そこで、これらの新たな問題に対処すべく、上記（１）又は（２）のように一体化コードとピッチ保持コードによって第１スクリーンと第２スクリーンを一体的に保持する構成を採用したところ、前後のスクリーンの折り目の高さが略同一となり且つ２枚のスクリーンの前後の広がりも抑制され、その結果、前後の２枚のスクリーンで構成される断面形状が略菱形になり、本発明の完成に到った。
【０００９】
本発明のポイントは、一体化コードとピッチ保持コードによって第１スクリーンと第２スクリーンを一体的に保持するという手段を採用し、これによって断面略菱形のスクリーンを容易に製造することを可能にした点にある。この発明によって、断面略菱形のスクリーンを有するプリーツスクリーンの製造コストを低減することが可能になった。
【００１０】
以下、本発明の種々の実施形態を例示する。以下に示す実施形態は互いに組み合わせ可能である。
好ましくは、前記保持部は、第１及び第２スクリーンに設けられたスリットを通じて第１及び第２スクリーンをそれぞれ貫通する。
好ましくは、前記一体化コードは、第１及び第２スクリーンの間に配置され、第１及び第２保持部が、それぞれ、第１及び第２スクリーンの外面側から第１及び第２スクリーンを貫通した後に、前記一体化コードが、第１及び第２保持部に挿通される。
好ましくは、前記ピッチ保持コードは、あらかじめ設定された間隔で複数の環状の第１保持部を有し且つ第１スクリーンの外面側に配置された第１ピッチ保持コードと、あらかじめ設定された間隔で複数の環状の第２保持部を有し且つ第２スクリーンの外面側に配置された第２ピッチ保持コードとを備える。
好ましくは、第１及び第２保持部は、上下方向に互いにずれた位置で、それぞれ第１及び第２スクリーンを貫通する。
好ましくは、第１及び第２保持部は、それぞれ、第１及び第２スクリーンの外面側に凸になる折り目において、第１及び第２スクリーンを貫通する。
好ましくは、第１及び第２保持部は、それぞれ、第１及び第２スクリーンの内面側に凸になる折り目において、第１及び第２スクリーンを貫通する。
好ましくは、前記ピッチ保持コードは、第１及び第２スクリーンの間に配置され、前記一体化コードは、第１スクリーンの外面側で第１保持部に挿通され、第２スクリーンの外面側で第２保持部に挿通される。
好ましくは、前記一体化コードは、第１スクリーンの外面側において前記ヘッドボックスに取着され、第１及び第２スクリーンの下側を通って、第２スクリーンの外面側において、前記ヘッドボックス内に導入されて操作される。
好ましくは、前記一体化コード及びピッチ保持コードは、第１及び第２スクリーンの間に配置され、前記プリーツスクリーンは、第１スクリーンに設けられた第１コード止めと、第２スクリーンに設けられた第２コード止めを備え、前記一体化コードが、第１及び第２コード止め及び前記保持部に挿通される。
好ましくは、前記一体化コードは、前記昇降コードである。
好ましくは、前記一体化コードは、ダミーコードである。
好ましくは、第１及び第２ピッチ保持コードからの第１及び第２保持部に第１及び第２スクリーンをそれぞれ貫通させたものを並べて配置し、第１及び第２保持部のそれぞれに一体化コードを順次挿通させる工程を備える、プリーツスクリーンの製造方法が提供される。
好ましくは、前記一体化コードは、ダミーコード又は昇降コードであり、前記一体化コードがダミーコードである場合、前記ダミーコードを昇降コードに置換する工程をさらに備える。
好ましくは、第１及び第２保持部は、第１及び第２スクリーンに設けられたスリットを通じて第１及び第２スクリーンをそれぞれ貫通する。
【図面の簡単な説明】
【００１１】
【図１】本発明の第１実施形態のプリーツスクリーンの構成を示す斜視図である。
【図２】図１の平面図である。
【図３】図１の側面図である。
【図４】図１のプリーツスクリーンの製造する際に、保持部に昇降コードを挿通させる工程を説明するための図３に対応した側面図である。
【図５】本発明の第２実施形態のプリーツスクリーンの構成を示す、図３に対応した側面図である。
【図６】本発明の第３実施形態のプリーツスクリーンの構成を示す、図３に対応した側面図である。
【図７】本発明の第４実施形態のプリーツスクリーンの構成を示す、図３に対応した側面図である。
【図８】図７中の領域Ａの斜視図である。
【図９】本発明の第５実施形態のプリーツスクリーンの構成を示す、図３に対応した側面図である。
【図１０】本発明の第６実施形態のプリーツスクリーンの構成を示す、図３に対応した側面図である。
【図１１】図１０のコード止めを示す斜視図である。
【図１２】図１１のコード止めがスクリーンに取着された状態を示す斜視図である。
【図１３】本発明の第７実施形態のプリーツスクリーンの構成を示す、図３に対応した側面図である。
【図１４】本発明の第８実施形態のプリーツスクリーンの構成を示す、図３に対応した側面図である。
【図１５】本発明の第９実施形態のプリーツスクリーンの構成を示す斜視図である。
【図１６】図１５のプリーツスクリーンの製造する際に、保持部にダミーコードを挿通させる工程を説明するための図３に対応した側面図である。
【図１７】本発明の第１０実施形態のプリーツスクリーンの構成を示す、図３に対応した側面図である。
【図１８】図１のプリーツスクリーンの製造する際に、保持部にダミーコードを挿通させた後に、ダミーコードを昇降コードに置換する工程を説明するための図３に対応した側面図である。
【発明を実施するための形態】
【００１２】
以下、本発明の種々の実施形態について説明する。以下の示す実施形態中で示した各種特徴事項は、互いに組み合わせ可能である。第２実施形態以降において説明を省略した部分は、第１実施形態と同様である。
【００１３】
（第１実施形態）
図１は、本発明の第１実施形態のプリーツスクリーンの構成を示す斜視図である。図２は、図１の平面図であり、図３は、図１の側面図である。
【００１４】
プリーツスクリーン１０は、ヘッドボックス１から吊り下げられ且つ上下方向にジグザグ状に折り畳み可能である第１及び第２スクリーン２ａ，２ｂと、第１及び第２スクリーン２ａ，２ｂの下端に配置されたボトムレール３と、ヘッドボックス１から垂下されて前記ボトムレール３を支持し且つヘッドボックス１側から操作されてボトムレール３を昇降させる昇降コード５とを備える。。
【００１５】
第１及び第２スクリーン２ａ，２ｂ（以下、「スクリーン２」とも称する。）は、それぞれ、１枚の生地をジグザク状に折り畳んで形成され、前後方向に並べて配置されている。第１及び第２スクリーン２ａ，２ｂは、本実施形態では、互いに連結されていないが、例えばボトムレール３へ取着される部位において連結されていてもよく、その他の部位で連結されていてもよい。さらに、例えば、製品高さの約２倍の長さに相当する1枚のジグザグ状の生地を用意し、上下方向の中間部分を折り返して生地を前後方向に並べて配置させる形とし、折り返し部分にボトムレールを取着してもよく、この場合、ボトムレール３によって二つに区分された生地の一方が第１スクリーン２ａであり、他方が第２スクリーン２ｂである。
【００１６】
図３に示すように、ヘッドボックス１内には巻取軸４が操作装置（図示しない）の操作に基づいて回転可能に支持されている。昇降コード５の上端は、巻取軸４に取着されており、操作装置の操作により巻取軸４に巻取りあるいは巻戻し可能となっている。そして、昇降コード５が巻取軸４に巻き取られると、ボトムレール３が引き上げられてスクリーン２が上方に畳み込まれ、昇降コード５が巻取軸４から巻戻されると、ボトムレール３が下降してスクリーン２が下方へ引き伸ばされる。昇降コード５は、第１及び第２スクリーン２ａ，２ｂの間に配置されている。
【００１７】
本実施形態のプリーツスクリーン１０は、上端がヘッドボックス１に取着され、下端がボトムレール３に取着された第１及び第２ピッチ保持コード６ａ，６ｂを備える。第１ピッチ保持コード６ａは、あらかじめ設定された間隔で複数の環状の第１保持部７ａを有し且つ第１スクリーン２ａの外面側（つまり、第１スクリーン２ａを挟んで昇降コード５とは前後方向の反対側）に配置され、第２ピッチ保持コード６ｂは、あらかじめ設定された間隔で複数の環状の第２保持部７ｂを有し且つ第２スクリーン２ｂの外面側（つまり、第２スクリーン２ｂを挟んで昇降コード５とは前後方向の反対側）に配置された第２ピッチ保持コード６ｂとを備える（以下、第１及び第２ピッチ保持コードを「ピッチ保持コード６」とも称する。）。第１及び第２保持部７ａ，７ｂ（以下、「保持部７」とも称する。）は、それぞれ、第１及び第２スクリーン２ａ，２ｂを貫通し、昇降コード５が、第１及び第２保持部７ａ，７ｂに挿通されるように構成されている。なお、第１及び第２ピッチ保持コード６ａ，６ｂを備える代わりに、一端が第１スクリーン２ａの外面側でヘッドボックス１に取着され、例えばボトムレール３内に設けられたガイド（例：図１３のガイド１７と同様の構成のガイド）を通じて第２スクリーン２ｂ側に引き回され、他端が第２スクリーン２ｂの外面側でヘッドボックス１に取着されるような一本のピッチ保持コード６を備えてもよい。
【００１８】
ピッチ保持コード６は、昇降コード５が巻取軸４から巻戻されて、ボトムレール３が下限まで下降したとき、ほぼ緊張される長さに設定されている。
【００１９】
ピッチ保持コード６は、編み機で糸を編んで形成されるコードであり、そのコードに保持部７を形成するため糸が編みこまれている。そして、その糸が一定間隔毎に環状に露出されて、保持部７が形成されている。保持部７の長さは、ほぼスクリーン２の折幅に昇降コード５の直径分を付加した長さに形成される。
【００２０】
保持部７は、スクリーン２の外面側に（つまり、昇降コード５から離れる方向に向かって）凸になる折り目９に設けられたスリット（挿通孔）８を通じてスクリーン２を貫通している。スリット８は、細い糸で形成される保持部７を挿通し得る程度の幅狭のスリットである。そして、各保持部７をスリット８に挿通してスクリーン２の反対側に露出させ、反対側に露出した保持部７に昇降コード５が挿通されている。保持部７はこのような幅狭のスリット８を通じてスクリーン２を貫通しているので、貫通部位からの光漏れが最小限に抑えられ、高い遮光性が維持されている。なお、図２の平面図においては、図示の便宜上、スリット８は、折り目９から若干凹ませて表現しているが、このような形状である必要はなく、実際は、例えば、スリット８と折り目９は同一直線になる（つまり、スリット８は折り目９から凹んでいない。）。
【００２１】
保持部７に昇降コード５を挿通させる方法としては、図４に示すように、第１及び第２スクリーン２ａ，２ｂの各スリット８を通じて、第１及び第２ピッチ保持コード６ａ，６ｂからの第１及び第２保持部７ａ，７ｂに第１及び第２スクリーン２ａ，２ｂをそれぞれ貫通させたものを並べて配置し、その状態で、昇降コード５側に露出した第１及び第２保持部７ａ，７ｂのそれぞれに昇降コード５を順次挿通させる方法が挙げられる。
【００２２】
また、保持部７に昇降コード５を挿通させる別の方法としては、図１８（ａ）に示すように、第１及び第２スクリーン２ａ，２ｂの各スリット８を通じて、第１及び第２ピッチ保持コード６ａ，６ｂからの第１及び第２保持部７ａ，７ｂに第１及び第２スクリーン２ａ，２ｂをそれぞれ貫通させたものを並べて配置し、その状態で、ダミーコード１９側に露出した第１及び第２保持部７ａ，７ｂのそれぞれにダミーコード１９を順次挿通させ、図１８（ｂ）に示すように、ダミーコード１９に昇降コード５を接合（例：矢印Ｘの位置で溶着）し、その後、図１８（ｃ）に示すように、ダミーコード１９を引き出すことによって昇降コード５を第１及び第２保持部７ａ，７ｂに挿通させる方法が挙げられる。その後、例えば図１８（ｃ）の矢印Ｙの位置で不要になったダミーコード１９を切除してもよい。
【００２３】
以上の構成により、図３に示すようにボトムレール３を下限まで下降させたとき、各保持部７の先端部が昇降コード５に係合して、各保持部７で各折り目９を下方から支持する状態となり、各折り目９が特定の高さに保持される。また、第１及び第２スクリーン２ａ，２ｂの間に昇降コード５が配置され、第１及び第２スクリーン２ａ，２ｂの外面側に第１及び第２ピッチ保持コード６ａ，６ｂが配置され、昇降コード５とピッチ保持コード６とが第１及び第２保持部７ａ，７ｂを介して連結されるので、第１及び第２スクリーン２ａ，２ｂが外面側に広がることが抑制される。このような構成によって、第１及び第２スクリーン２ａ，２ｂが一体的に保持される。なお、本実施形態では、スクリーン２の外面側に凸になる折り目９にスリット８が形成されているので、保持部７の大部分が２枚のスクリーンの間に位置し、保持部７がスクリーン２の外面側からほとんど見えず、優れた外観が呈される。
【００２４】
なお、本実施形態では、スクリーン２の外面側に凸になる全ての折り目９にスリット８を設け、このスリット８を通じて保持部７を挿通させているが、スリット８及び保持部７の数や位置は特に限定されず、各スクリーン２に少なくとも１箇所設けられていればよい。スリット８及び保持部７の数が多いほど、折り目９の高さをより正確に規定することができ且つ前後のスクリーンの広がりを抑制できるので、前後のスクリーン２を一体的に保持するという観点からはスリット８及び保持部７の数は多いほど好ましい。但し、スリット８及び保持部７の数が増えるとその分だけ、光漏れが増大してしまうという問題及び製造の手間が増大するという問題がある。従って、スリット８及び保持部７の数や位置は製造の手間や光漏れなどを考慮して適宜決定すればよい。
【００２５】
（第２実施形態）
図５は、本発明の第２実施形態のプリーツスクリーンの構成を示す、図３に対応した側面図である。本実施形態は、スクリーン２の外面側に凸になる折り目９に一つ飛ばしでスリット８を形成し、且つスリット８を形成する位置が第１スクリーン２ａと第２スクリーン２ｂとで上下方向にずれていることを特徴としている。つまり、第１スクリーン２ａにスリット８が形成されている折り目９に向かい合う第２スクリーン２ｂの折り目９にはスリット８が形成されておらず、逆に、第２スクリーン２ｂにスリット８が形成されている折り目９に向かい合う第１スクリーン２ａの折り目９にはスリット８が形成されていない。このような構成によれば、スリット８の位置が前後のスクリーンで上下方向にずれているので、スリット８からの光漏れを防ぐことができる。
【００２６】
（第３実施形態）
図６は、本発明の第３実施形態のプリーツスクリーンの構成を示す、図３に対応した側面図である。本実施形態は、スクリーン２の内面側に（つまり、昇降コード５に近づく方向に向かって）凸になる折り目９にスリット８が設けられていることを特徴としている。この場合、スクリーン２は、昇降コード５に近接した位置で保持部７によって保持される。
【００２７】
ボトムレール３を下限よりも高い位置に上昇させた状態では、ピッチ保持コード６はたるんでしまうが、昇降コード５は常にテンションがかかった状態になる。このため、昇降コード５に近接した位置でスクリーン２を保持することによって、ピッチ保持コード６がたるんだ状態でもスクリーン２の折り目９のピッチが不安定になることを防ぐことができる。
【００２８】
（第４実施形態）
図７は、本発明の第４実施形態のプリーツスクリーンの構成を示す、図３に対応した側面図であり、図８は、図７中の領域Ａの斜視図である。本実施形態では、プリーツスクリーン１０は、あらかじめ設定された間隔で複数の環状の第１保持部７ａを有し且つ第１及び第２スクリーン２ａ，２ｂの間に配置された第１ピッチ保持コード６ａと、あらかじめ設定された間隔で複数の環状の第２保持部７ｂを有し且つ第１及び第２スクリーン２ａ，２ｂの間に配置された第２ピッチ保持コード６ｂとを備え、第１及び第２保持部７ａ，７ｂが、それぞれ、第１及び第２スクリーン２ａ，２ｂを２回貫通した後に、昇降コード５が、第１及び第２保持部７ａ，７ｂに挿通されるように構成されている。
【００２９】
本実施形態では、保持部７がスクリーン２を２回貫通した後に昇降コード５が保持部７に挿通されるので、各保持部７に対してスリット８が２つずつ設けられる。そして、スクリーン２は、各保持部７について２箇所で保持されるので、安定した保持が可能になる。また、ピッチ保持コード６は第１及び第２スクリーン２ａ，２ｂの間に配置されるので、スクリーン２の外面側からは見えず、優れた外観が呈される。
【００３０】
なお、保持部７をスクリーン２に貫通させる回数は２回に限定されず、任意の偶数回（例：４回、６回）であってもよい。
【００３１】
（第５実施形態）
図９は、本発明の第５実施形態のプリーツスクリーンの構成を示す、図３に対応した側面図である。本実施形態では、プリーツスクリーン１０は、あらかじめ設定された間隔で複数の環状の保持部７を有し且つ第１及び第２スクリーン２ａ，２ｂの間に配置されたピッチ保持コード６を備え、複数の保持部７は、第１スクリーン２ａを２回貫通する第１保持部７ａと、第２スクリーン２ｂを２回貫通する第２保持部７ｂとを含み、第１及び第２保持部７ａ，７ｂが、それぞれ、第１及び第２スクリーン２ａ，２ｂを２回貫通した後に、昇降コード５が、第１及び第２保持部７ａ，７ｂに挿通されるように構成されている。
【００３２】
本実施形態では、１本のピッチ保持コード６に第１及び第２保持部７ａ，７ｂの両方が設けられており、第１保持部７ａを第１スクリーン２ａに貫通させ、第２保持部７ｂを第２スクリーン２ｂに貫通させる。本実施形態では、必要なピッチ保持コード６の数が少ないので、その分だけ製造コストを低減することができる。
【００３３】
なお、保持部７をスクリーン２に貫通させる回数は２回に限定されず、任意の偶数回（例：４回、６回）であってもよい。
【００３４】
（第６実施形態）
図１０は、本発明の第６実施形態のプリーツスクリーンの構成を示す、図３に対応した側面図である。本実施形態では、プリーツスクリーン１０は、あらかじめ設定された間隔で複数の環状の保持部７を有し且つ第１及び第２スクリーン２ａ，２ｂの間に配置されたピッチ保持コード６と、第１スクリーン２ａに取着された第１コード止め３３ａと、第２スクリーン２ｂに取着された第２コード止め３３ｂを備え、昇降コード５が、第１及び第２コード止め３３ａ，３３ｂ（以下、「コード止め３３」とも称する。）及び保持部７に挿通されるように構成されている。
【００３５】
本実施形態では、昇降コード５を第１及び第２コード止め３３ａ，３３ｂの両方に挿通させ、さらに保持部７にも挿通することによって、コード止め３３が保持部７に当接して、コード止め３３の高さが保持される（なお、図１０では、図示の便宜上、コード止め３３と保持部７を少し離間させているが、実際はコード止め３３と保持部７が当接する。）。
【００３６】
本実施形態では、第１及び第２スクリーン２ａ，２ｂの折り目の高さをほぼ同じにすることができるという利点に加えて、昇降コード５を第１及び第２コード止め３３ａ，３３ｂの両方に挿通させているので、第１及び第２スクリーン２ａ，２ｂの前後方向の位置も特定の位置に保持することができ、第１及び第２スクリーン２ａ，２ｂが前後に広がったりすることを防ぐことができる。
【００３７】
コード止め３３の構成は、スクリーン２に取着可能であり且つ昇降コード５を挿通することができるものであれば特に限定されないが、例えば、図１１に示すようなタグピンタイプのものが挙げられる。図１１のコード止め３３は、長孔状の挿通孔３７を有する平板状の環状部３４と係止軸３６が連結軸３５を介して連結された構造を有しており、係止軸３６を細針機などを用いてスクリーン２に打ち込むことによってスクリーン２に取着することができる。コード止め３３をスクリーン２に取着させた状態を図１２に示す。
【００３８】
また、コード止め３３としては、図１１のような別部材をスクリーン２に取着させる構成のもの以外にも、スクリーン２を加工して、昇降コード５を挿通させるための挿通孔を形成したものであってもよい。例えば、スクリーン２の内面側に（つまり、昇降コード５に向かって）凸となる折り目９を所定の幅で接合（溶着、接着など）し、その接合部に昇降コード５の挿通孔を設けたものをコード止め３３として利用することができる。
【００３９】
（第７実施形態）
図１３は、本発明の第７実施形態のプリーツスクリーンの構成を示す、図３に対応した側面図である。ピッチ保持コード６は、第１及び第２スクリーン２ａ，２ｂの間に配置され、昇降コード５は、第１スクリーン２ａの外面側（つまり、第１スクリーン２ａを挟んでピッチ保持コード６とは反対側）で第１スクリーン２ａを貫通した第１保持部７ａに挿通され、第２スクリーン２ｂの外面側（つまり、第２スクリーン２ｂを挟んでピッチ保持コード６とは反対側）で第２スクリーン２ｂを貫通した第２保持部７ｂに挿通される。なお、第１スクリーン２ａは室内側のスクリーンであっても、室外側のスクリーンであってもよい。
【００４０】
より具体的には、昇降コード５は、第１スクリーン２ａの外面側においてヘッドボックス１に一端が取着され、他端が、第１及び第２スクリーン２ａ，２ｂの下側を通って、第２スクリーン２ｂの外面側において、ヘッドボックス１内に導入されて操作される。そして、第１スクリーン２ａの外面側では、第１保持部７ａに挿通され、第２スクリーン２ｂの外面側では、第２保持部７ｂに挿通される。なお、本実施形態では、昇降コード５は、第１及び第２スクリーン２ａ，２ｂの下側では、ボトムレール３内に設けられたガイド１７を通じて、第１スクリーン２ａの外面側から第２スクリーン２ｂの外面側に引き回されているが、この構成に限定されず、ボトムレール３の下側又は上側を通って第１スクリーン２ａの外面側から第２スクリーン２ｂの外面側に引き回す構成も可能である。
【００４１】
このような構成の場合でも、第１スクリーン２ａと第２スクリーン２ｂが昇降コード５及びピッチ保持コード６によって断面略菱形状に一体的に保持される。
【００４２】
（第８実施形態）
図１４は、本発明の第８実施形態のプリーツスクリーンの構成を示す、図３に対応した側面図である。本実施形態は、第７実施形態に類似しているが、昇降コード５は、第１昇降コード５ａと第２昇降コード５ｂに分割されており、第１及び第２昇降コード５ａ，５ｂは、それぞれ、ボトムレール３に取着され、第１及び第２巻取軸４ａ，４ｂによって巻き取られる。第１及び第２巻取軸４ａ，４ｂが同時に回転することによって、ボトムレール３が水平に保たれたまま昇降される。
【００４３】
第１スクリーン２ａの外面側では、第１昇降コード５ａが第１保持部７ａに挿通され、第２スクリーン２ｂの外面側では、第２昇降コード５ｂが第２保持部７ｂに挿通される。
【００４４】
このような構成の場合でも、第１スクリーン２ａと第２スクリーン２ｂが昇降コード５及びピッチ保持コード６によって断面略菱形状に一体的に保持される。
【００４５】
なお、本実施形態では、軸が異なる２つの巻取軸で２本の昇降コード５を巻き取る例を示しているが、例えばヘッドボックス１内にガイドを設けて、１つの巻取軸４で２本の昇降コード５を巻き取る構成にすることもできる。
【００４６】
（第９実施形態）
図１５は、本発明の第９実施形態のプリーツスクリーンの構成を示す斜視図である。本実施形態は、第１実施形態に類似しているが、第１及び第２保持部７ａ，７ｂには昇降コード５の代わりにダミーコード１９を挿通させており、ピッチ保持コード６とダミーコード１９によって第１及び第２スクリーン２ａ，２ｂを一体的に保持している。昇降コード５は、保持部７には挿通させずに、ボトムレール３に取着させている。
【００４７】
保持部７にダミーコード１９を挿通させる方法としては、図１６に示すように、第１及び第２スクリーン２ａ，２ｂの各スリット８を通じて、第１及び第２ピッチ保持コード６ａ，６ｂからの第１及び第２保持部７ａ，７ｂに第１及び第２スクリーン２ａ，２ｂをそれぞれ貫通させたものを並べて配置し、その状態で、ダミーコード１９側に露出した第１及び第２保持部７ａ，７ｂのそれぞれにダミーコード１９を順次挿通させる方法が挙げられる。
【００４８】
（第１０実施形態）
図１７は、本発明の第１０実施形態のプリーツスクリーンの構成を示す、図３に対応した側面図である。本実施形態は、第１実施形態に類似しているが、第１及び第２スクリーン２ａ，２ｂは、中間レール２１を介してヘッドボックス１から垂下されている点を特徴としている。つまり、ヘッドボックス１からは１枚のスクリーン２が垂下され、このスクリーン２が中間レール２１に取着され、この中間レール２１から第１及び第２スクリーン２ａ，２ｂが垂下され、ボトムレール３に取着されている。
【００４９】
このように、ヘッドボックス１とボトムレール３の間の一部においてのみ、２枚のスクリーンを前後方向に重ねて並べて配置した場合であっても、昇降コード５とピッチ保持コード６によって２枚のスクリーンを一体的に保持することができる。
【００５０】
なお、本実施形態では、ヘッドボックス１と中間レール２１の間に１枚のスクリーンを配置し、中間レール２１とボトムレール３の間に２枚のスクリーンを配置しているが、逆に、ヘッドボックス１と中間レール２１の間に２枚のスクリーンを配置し、中間レール２１とボトムレール３の間に１枚のスクリーンを配置してもよい。
【符号の説明】
【００５１】
１...ヘッドボックス、２...スクリーン、３...ボトムレール、５...昇降コード、６...ピッチ保持コード、７...保持部、８...スリット（挿通孔）、９...折り目、１７...高さ保持コード、１９...ダミーコード、３３...コード止め
【図１】
2014129698.tif 000003
【図２】
2014129698.tif 000004
【図３】
2014129698.tif 000005
【図４】
2014129698.tif 000006
【図５】
2014129698.tif 000007
【図６】
2014129698.tif 000008
【図７】
2014129698.tif 000009
【図８】
2014129698.tif 000010
【図９】
2014129698.tif 000011
【図１０】
2014129698.tif 000012
【図１１】
2014129698.tif 000013
【図１２】
2014129698.tif 000014
【図１３】
2014129698.tif 000015
【図１４】
2014129698.tif 000016
【図１５】
2014129698.tif 000017
【図１６】
2014129698.tif 000018
【図１７】
2014129698.tif 000019
【図１８】
2014129698.tif 000020